(57)【要約】【課題】ドライクリーニング用洗浄剤に要求される洗浄力などの性能を損なうことなく、再汚染防止性、帯電防止性、柔軟性などに優れ、第三世代フロン系溶剤に添加して使用することができるドライクリーニング用洗浄剤組成物を提供する。【解決手段】ポリエーテルアミノ変性シリコーン並びにフッ化炭化水素系溶剤及び／又は溶解助剤を含有することを特徴とするドライクリーニング用洗浄剤組成物。【選択図】なし【特許請求の範囲】
【請求項１】
ポリエーテルアミノ変性シリコーン並びにフッ化炭化水素系溶剤及び／又は溶解助剤を含有することを特徴とするドライクリーニング用洗浄剤組成物。
【請求項２】
ポリエーテルアミノ変性シリコーンが、一般式［１］で表される化合物である請求項１記載のドライクリーニング用洗浄剤組成物。
【化１】
2005206731.tif 000008
（ただし、式中、Ｚ1は、それぞれ独立に、ＣＨ3、ＯＣＨ3、Ｒ1ＮＨ2又はＯＨであり、Ｒ1は炭素数１〜４の飽和又は不飽和の直鎖状又は分岐を有する二価の炭化水素基であり、Ｚ2は、Ｒ2Ｏ(Ｃ2Ｈ4Ｏ)a(Ｃ3Ｈ6Ｏ)bＲ3であり、Ｒ2は、炭素数１〜４の飽和又は不飽和の直鎖状又は分岐を有する二価の炭化水素基であり、Ｒ3は、水素又は炭素数１〜４の飽和若しくは不飽和の直鎖状若しくは分岐を有する一価の炭化水素基であり、ａ及びｂは、それぞれ０〜３０であり、ａ＋ｂ＞０であり、Ｚ3は、Ｒ4ＮＨ2、Ｒ5ＮＨＲ6ＮＨ2又は
【化２】
2005206731.tif 000009
であり、Ｒ4〜Ｒ7は、炭素数１〜４の飽和又は不飽和の直鎖状又は分岐を有する二価の炭化水素基であり、１＋ｍ＋ｎは、１００〜２,０００であり、ｌ個のＣＨ3とｍ個のＺ2とｎ個のＺ3は、任意の順序に配列することができ、一般式［１］で表される化合物のアミン当量は、２５０〜４０,０００である。）
【請求項３】
ポリエーテルアミノ変性シリコーンとフッ化炭素水素系溶剤及び／又は溶解助剤との重量比が、２：９８〜９０：１０である請求項１記載のドライクリーニング用洗浄剤組成物。
【請求項４】
フッ化炭化水素系溶剤が、一般式［３］で表される化合物である請求項１又は請求項３記載のドライクリーニング用洗浄剤組成物。
ＣcＨdＦeＯＣfＨgＦh                      …［３］
（ただし、式中、ｃ及びｆは、１〜４であり、ｄ及びｅは、２ｃ＋１＝ｄ＋ｅを満たす０〜９の整数であり、ｇ及びｈは、２ｆ＋１＝ｇ＋ｈを満たす０〜９の整数であり、ｅ十ｈは、４〜１８である。）
【請求項５】
溶解助剤が、アルコール系溶剤、アルコールのアルキレンオキサイド付加物からなるエーテル系溶剤、グリコール系溶剤、炭化水素系溶剤及びケトン系溶剤から選ばれる１種又は２種以上の混合物である請求項１又は請求項３記載のドライクリーニング用洗浄剤組成物。
【発明の詳細な説明】
【技術分野】
【０００１】
本発明はドライクリーニング用洗浄剤組成物に関する。さらに詳しくは、本発明は、洗浄性と再汚染防止性に優れ、被洗物に帯電防止性と柔軟性を与えることができるドライクリーニング用洗浄剤組成物に関する。
【背景技術】
【０００２】
衣類などの洗濯には、水を用いる中性洗濯のウエットクリーニング、アルカリ性洗濯のランドリークリーニング、石油系溶剤、パークロロエチレン、ＣＦＣ−１１３、１,１,１−トリクロロエタン、代替フロン系溶剤などを用いるドライクリーニングがある。１９９５年末をもってトリクロロエタン、特定フロンの生産が中止され、代替フロン系溶剤として、ＨＣＦＣ−２２５、ＨＣＦＣ−１４１ｂなどの溶剤が、ドライクリーニング用溶剤として使用されている。しかしながら、これらの溶剤は沸点が低く、乾燥は容易で速く、衣類に対する乾燥時の機械的損傷は比較的小さいものの、オゾン破壊係数、地球温暖化係数が大きく、使用可能な期間が限定されている。
近年、オゾン破壊係数と地球温暖化係数が小さいフッ化炭化水素系のいわゆる第三世代フロン系溶剤が、ＨＣＦＣ系溶剤を代替する溶剤として、金属部品、電子部材の洗浄などで使用され始めており、ドライクリーニング用代替フロン系溶剤としても使用が予定されている。
しかし、これらの第三世代フロン系溶剤は、従来のクリーニング用溶剤に比較してＫＢ値（カウリブタノール値）がかなり小さく、有機物の溶解力が極めて低い。従来のドライクリーニング用溶剤は、ＫＢ値が大きく有機化合物の溶解力が一般に高いことから、添加使用される洗浄剤組成物は、大部分が炭化水素を親油基とするカチオン界面活性剤、アニオン界面活性剤又はノニオン界面活性剤を主成分とし、洗浄性や再汚染防止性、帯電防止性、柔軟性などの性能を有している。しかしながら、第三世代フロン系溶剤は有機物の溶解力が極めて低いために、従来ドライクリーニング用洗浄剤組成物に使用されてきた各種の界面活性剤の殆どが使用不可能である。
第三世代フロン系溶剤の例として、メチルパーフロロブチルエーテル、エチルパーフロロブチルエーテルなどのハイドロフルオロエーテル系溶剤が挙げられる。これらのＫＢ値が低い溶剤に対応すべく、フッ素系界面活性剤を用いた洗浄剤組成物が提案されている（特許文献１）。しかしながら、フッ素系界面活性剤は非常に高価であり、普及していないのが現状である。また、ＫＢ値が低い第三世代フロン系溶剤に一部溶解するものとして、前述のフッ素系界面活性剤の他にノニオン界面活性剤があるが、これらを用いても、洗浄剤組成物として十分な洗浄力や再汚染防止力、帯電防止性、柔軟性を付与する効果がない。このために、洗浄性と再汚染防止性に優れ、しかも被洗物に帯電防止性と柔軟性を与え、第三世代フロン系溶剤に添加して使用することができるドライクリーニング用洗浄剤組成物が求められている。
【特許文献１】特開平１１−１４０４９９号公報（第２頁）
【発明の開示】
【発明が解決しようとする課題】
【０００３】
本発明は、ドライクリーニング用洗浄剤に要求される洗浄力などの性能を損なうことなく、再汚染防止性、帯電防止性、柔軟性などに優れ、第三世代フロン系溶剤に添加して使用することができるドライクリーニング用洗浄剤組成物を提供することを目的としてなされたものである。
【課題を解決するための手段】
【０００４】
本発明者らは、上記の課題を解決すべく鋭意研究を重ねた結果、洗浄成分としてポリエーテルアミノ変性シリコーン並びにフッ化炭化水素系溶剤及び／又は溶解助剤を含有するドライクリーニング用洗浄剤組成物が、ＫＢ値が低い第三世代フロン系溶剤であるハイドロフルオロエーテル系溶剤などのフッ化炭化水素系溶剤に可溶であり、優れた洗浄性、再汚染防止性、帯電防止性、柔軟性などを発揮することを見いだし、この知見に基づいて本発明を完成するに至った。
すなわち、本発明は、
（１）ポリエーテルアミノ変性シリコーン並びにフッ化炭化水素系溶剤及び／又は溶解助剤を含有することを特徴とするドライクリーニング用洗浄剤組成物、
（２）ポリエーテルアミノ変性シリコーンが、一般式［１］で表される化合物である(１)記載のドライクリーニング用洗浄剤組成物、
【化１】
2005206731.tif 000002
（ただし、式中、Ｚ1は、それぞれ独立に、ＣＨ3、ＯＣＨ3、Ｒ1ＮＨ2又はＯＨであり、Ｒ1は炭素数１〜４の飽和又は不飽和の直鎖状又は分岐を有する二価の炭化水素基であり、Ｚ2は、Ｒ2Ｏ(Ｃ2Ｈ4Ｏ)a(Ｃ3Ｈ6Ｏ)bＲ3であり、Ｒ2は、炭素数１〜４の飽和又は不飽和の直鎖状又は分岐を有する二価の炭化水素基であり、Ｒ3は、水素又は炭素数１〜４の飽和若しくは不飽和の直鎖状若しくは分岐を有する一価の炭化水素基であり、ａ及びｂは、それぞれ０〜３０であり、ａ＋ｂ＞０であり、Ｚ3は、Ｒ4ＮＨ2、Ｒ5ＮＨＲ6ＮＨ2又は
【化２】
2005206731.tif 000003
であり、Ｒ4〜Ｒ7は、炭素数１〜４の飽和又は不飽和の直鎖状又は分岐を有する二価の炭化水素基であり、１＋ｍ＋ｎは、１００〜２,０００であり、ｌ個のＣＨ3とｍ個のＺ2とｎ個のＺ3は、任意の順序に配列することができ、一般式［１］で表される化合物のアミン当量は、２５０〜４０,０００である。）、
（３）ポリエーテルアミノ変性シリコーンとフッ化炭素水素系溶剤及び／又は溶解助剤との重量比が、２：９８〜９０：１０である(１)記載のドライクリーニング用洗浄剤組成物、
（４）フッ化炭化水素系溶剤が、一般式［３］で表される化合物である(１)又は(３)記載のドライクリーニング用洗浄剤組成物、
ＣcＨdＦeＯＣfＨgＦh                      …［３］
（ただし、式中、ｃ及びｆは、１〜４であり、ｄ及びｅは、２ｃ＋１＝ｄ＋ｅを満たす０〜９の整数であり、ｇ及びｈは、２ｆ＋１＝ｇ＋ｈを満たす０〜９の整数であり、ｅ十ｈは、４〜１８である。）、及び、
（５）溶解助剤が、アルコール系溶剤、アルコールのアルキレンオキサイド付加物からなるエーテル系溶剤、グリコール系溶剤、炭化水素系溶剤及びケトン系溶剤から選ばれる１種又は２種以上の混合物である(１)又は(３)記載のドライクリーニング用洗浄剤組成物、
を提供するものである。
【発明の効果】
【０００５】
ドライクリーニング用洗浄剤組成物として、ポリエーテルアミノ変性シリコーン並びにフッ化炭化水素系溶剤及び／又は溶解助剤を用いることにより、ドライクリーニング用洗浄剤組成物の洗浄性、再汚染防止性を高め、被洗物に帯電防止性と柔軟性に富んだ風合いを与えることが可能になる。
【発明を実施するための最良の形態】
【０００６】
本発明のドライクリーニング用洗浄剤組成物は、ポリエーテルアミノ変性シリコーン並びにフッ化炭化水素系溶剤及び／又は溶解助剤を含有する。
本発明のドライクリーニング用洗浄剤組成物において、ポリエーテルアミノ変性シリコーンは、一般式［１］で表される構造を有する化合物であることが好ましい。
【化３】
2005206731.tif 000004
ただし、一般式［１］において、Ｚ1は、それぞれ独立に、ＣＨ3、ＯＣＨ3、Ｒ1ＮＨ2又はＯＨであり、Ｒ1は炭素数１〜４の飽和又は不飽和の直鎖状又は分岐を有する二価の炭化水素基であり、Ｚ2は、Ｒ2Ｏ(Ｃ2Ｈ4Ｏ)a(Ｃ3Ｈ6Ｏ)bＲ3であり、Ｒ2は、炭素数１〜４の飽和又は不飽和の直鎖状又は分岐を有する二価の炭化水素基であり、Ｒ3は、水素又は炭素数１〜４の飽和若しくは不飽和の直鎖状若しくは分岐を有する一価の炭化水素基であり、ａ及びｂは、それぞれ０〜３０であり、ａ＋ｂ＞０であり、ａ個のＣ2Ｈ4Ｏとｂ個のＣ3Ｈ6Ｏは任意の順序に配列することができ、Ｚ3は、Ｒ4ＮＨ2、Ｒ5ＮＨＲ6ＮＨ2又は
【化４】
2005206731.tif 000005
であり、Ｒ4〜Ｒ7は、炭素数１〜４の飽和又は不飽和の直鎖状又は分岐を有する二価の炭化水素基であり、１＋ｍ＋ｎは、１００〜２,０００であり、ｌ個のＣＨ3とｍ個のＺ2とｎ個のＺ3は、任意の順序に配列することができ、一般式［１］で表される化合物のアミン当量は２５０〜４０,０００であり、より好ましくは１,０００〜１０,０００である。なお、アミン当量とは、アミノ基とイミノ基を合計して１ｇ当量含む化合物の重量をｇ単位で表した数値である。一般式［１］で表される化合物のアミン当量が２５０未満であると、黄変を生じ、あるいは、溶解性が不良となるおそれがある。一般式［１］で表される化合物のアミン当量が４０,０００を超えると、溶解性が不良となり、洗浄性と再汚染防止性が不十分となるおそれがある。
【０００７】
本発明において、一般式［１］で表されるポリエーテルアミノ変性シリコーンは、ＨＬＢが１〜１５であることが好ましく、ＨＬＢが３〜１０であることがより好ましい。ＨＬＢが１未満であると、溶解性が不良となるおそれがある。ＨＬＢが１５を超えると、溶解性が不良となり、洗浄性と再汚染防止性が不十分となるおそれがある。一般式［１］で表される構造を有するポリエーテルアミノ変性シリコーンを用いることにより、ドライクリーニング用洗浄剤組成物の洗浄性と再汚染防止性を高め、被洗物に優れた帯電防止性と柔軟性を与えることができる。
本発明組成物において、ポリエーテルアミノ変性シリコーンとフッ化炭化水素系溶剤及び／又は溶解助剤との重量比は、２：９８〜９０：１０であることが好ましく、１０：９０〜８０：２０であることがより好ましい。ポリエーテルアミノ変性シリコーンとフッ化炭化水素系溶剤及び／又は溶解助剤との重量比が２：９８未満であると、洗浄力、帯電防止性、柔軟性が十分に発現しないおそれがある。ポリエーテルアミノ変性シリコーンとフッ化炭化水素系溶剤及び／又は溶解助剤との重量比が９０：１０を超えると、ドライクリーニング用洗浄剤組成物の粘性、安定性、使い易さに難点が生じるおそれがある。
本発明のドライクリーニング用洗浄剤組成物においては、フッ化炭化水素系溶剤が、一般式［３］で表されるハイドロフルオロエーテル系溶剤であることが好ましい。
ＣcＨdＦeＯＣfＨgＦh                                …［３］
ただし、一般式［３］において、ｃ及びｆは、１〜４であり、ｄ及びｅは、２ｃ＋１＝ｄ＋ｅを満たす０〜９の整数であり、ｇ及びｈは、２ｆ＋１＝ｇ＋ｈを満たす０〜９の整数であり、ｅ＋ｈは、４〜１８の整数である。一般式［３］で表されるハイドロフルオロエーテル系溶剤の中で、ｃとｆが２であり、ｅが４であり、ｈが３である１,１,２,２−テトラフルオロ−１−(２,２,２−トリフルオロエトキシ)エタンは良好が溶解性を有するので、特に好適に用いることができる。
【０００８】
本発明のドライクリーニング用洗浄剤組成物においては、溶解助剤がメタノール、エタノール、イソプロパノールなどのアルコール系溶剤、アルコールのアルキレンオキサイド付加物からなるエーテル系溶剤、グリコール系溶剤、炭化水素系溶剤又はケトン系溶剤であることが好ましい。これらの溶解助剤は、１種を単独で使用することができ、あるいは２種以上を組み合わせて使用することもできる。本発明組成物において、溶解助剤を含有せしめることにより、ドライクリーニング用洗浄剤組成物の粘度を下げ、安定性を向上することができる。溶解助剤の中では、毒性が低く、引火点が比較的高い３−メチル−３−メトキシブタノールを特に好適に用いることができる。
本発明のドライクリーニング用洗浄剤組成物においては、必要に応じて、さらにポリオキシエチレンアルキルエーテルなどの炭化水素系ノニオン界面活性剤、フッ化炭化水素系ノニオン界面活性剤や、ポリエーテル変性シリコーン、フッ素変性シリコーン、ポリエーテルエポキシ変性シリコーン、ポリエーテルフッ素変性シリコーン、ポリエーテルカルボキシ変性シリコーンなどのシリコーン系化合物や、防錆剤などを配合することができる。
本発明のドライクリーニング用洗浄剤組成物は、ドライクリーニング溶剤に０.０１〜５重量％を添加溶解して用いることが好ましい。本発明組成物は、ドライクリーニング用溶剤として、石油系溶剤、パークロロエチレン、ＣＦＣ−１１３、１,１,１−トリクロロエタン、代替フロン系溶剤、シリコーン系溶剤などを使用する場合に有用である。特に、第三世代の代替フロン系溶剤のハイドロフルオロエーテル系溶剤を使用する場合に有用であり、さらには１,１,２,２−テトラフルオロー１−(２,２,２−トリフルオロエトキシ)エタンを使用する場合に極めて有用である。
【実施例】
【０００９】
以下に、実施例を挙げて本発明をさらに詳細に説明するが、本発明はこれらの実施例によりなんら限定されるものではない。
なお、実施例及び比較例において、評価は下記の方法により行った。
（１）希釈安定性（１容量％）
洗浄剤組成物１ｍＬを、１,１,２,２−テトラフルオロ−１−(２,２,２−トリフルオロエトキシ)エタン１００ｍＬに添加し、撹拌後の溶解状態を目視判定により評価する。
（２）洗浄率及び再汚染率
容量５００ｍＬのステンレス鋼製ポットを用いて、１,１,２,２−テトラフルオロ−１−(２,２,２−トリフルオロエトキシ)エタン１００ｍＬに、洗浄剤組成物１ｍＬを添加し、溶解して洗浄液を調製する。ラウンダ・オ・メーター［(株)大栄科学精器製作所、Ｌ−２０］を用いて、４０番綿ブロード、ウールモスリン、アクリルメリヤス、ポリエステルジャージの４ｃｍ×８ｃｍの大きさの白布及び日本油化学協会法に準じて作製した４０番綿ブロードの４ｃｍ×８ｃｍの大きさの汚染布各１枚を、洗浄液で２０℃×１０分間洗浄する。その後、遠心脱水機［栄光産業(株)、Ｈ−１２０Ａ］を用いて、１分間脱液し、６０分間風乾する。
洗浄前後の白布及び汚染布について、色彩計［(株)村上色彩技術研究所、クリーンマスターＣＭ−５３Ｄ］を用いて、５５０ｎｍにおける反射率を測定し、次式にしたがって洗浄率と再汚染率を算出する。
洗浄率（％）＝{(Ｓ2−Ｓ1)／(Ｗ1−Ｓ1)}×１００
再汚染率（％）＝{(Ｗ1−Ｗ2)／Ｗ1}×１００
ただし、Ｓ1：洗浄前の汚染布反射率、Ｓ2：洗浄後の汚染布反射率、Ｗ1：洗浄前の白布反射率、Ｗ2：洗浄後の白布反射率である。
（３）帯電防止性
容量５００ｍＬのステンレス鋼製ポットを用いて、１,１,２,２−テトラフルオロ−１−(２,２,２−トリフルオロエトキシ)エタン１００ｍＬに、洗浄剤組成物１ｍＬを添加し、溶解して処理液を調製する。ラウンダ・オ・メーター［(株)大栄科学精器製作所、Ｌ−２０］を用いて、アクリルメリヤス及びポリエステルジャージの試験布各１０ｇを、処理液で２０℃×１０分間処理する。その後、遠心脱水機［栄光産業(株)、Ｈ−１２０Ａ］を用いて１分間脱液し、６０℃に保った熱風循環式乾燥機で６０分間乾燥し、取り出した直後の表面抵抗値を絶縁抵抗計［東亜電波工業(株)、ＳＭ−８２１０］を用いて測定する。
（４）柔軟性
(３)で帯電防止性を評価した後の試験布を室内に１時間放置したのち、触感法により次の５段階で柔軟性を評価する。
１（粗硬）
２（やや硬い）
３（柔らかい）
４（かなり柔らかい）
５（非常に柔らかい）
柔らかいほど皺の発生が少なく、仕上げ性が良好で、着用感にも優れる。
【００１０】
実施例１
一般式［１］において、Ｚ1がＣＨ3、Ｚ2がＣ3Ｈ6Ｏ(Ｃ2Ｈ4Ｏ)8Ｈ、Ｚ3がＣ3Ｈ6ＮＨＣ2Ｈ4ＮＨ2であり、ＨＬＢが９であり、ｌ＋ｍ＋ｎが２２０であり、アミン当量が４,０００であるポリエーテルアミノ変性シリコーンＡ２５重量部と３−メチル−３−メトキシブタノール７５重量部を混合して、ドライクリーニング用洗浄剤組成物を調製し、評価を行った。
希釈安定性（１容量％）試験で、撹拌後の混合物は透明であった。綿ブロード汚染布の洗浄率は、１６％であった。再汚染率は、綿ブロード０.２％、ウールモスリン０.２％、アクリルメリヤス０.１％、ポリエステルジャージ０.３％であった。帯電防止性試験における表面抵抗値は、アクリルメリヤス２０×１０11Ω、ポリエステルジャージ２０×１０12Ωであった。柔軟性は、アクリルメリヤスが４、ポリエステルジャージが３であった。
実施例２
一般式［１］において、Ｚ1がＣＨ3、Ｚ2がＣ3Ｈ6Ｏ(Ｃ2Ｈ4Ｏ)5(Ｃ3Ｈ6Ｏ)2Ｈ、Ｚ3がＣ3Ｈ6ＮＨＣ2Ｈ4ＮＨ2であり、ＨＬＢが６であり、ｌ＋ｍ＋ｎが１,２５０であり、アミン当量が１,５００であるポリエーテルアミノ変性シリコーンＢ２５重量部と３−メチル−３−メトキシブタノール７５重量部を混合して、ドライクリーニング用洗浄剤組成物を調製し、評価を行った。
希釈安定性（１容量％）試験で、撹拌後の混合物は透明であった。綿ブロード汚染布の洗浄率は、１５％であった。再汚染率は、綿ブロード０.３％、ウールモスリン０.４％、アクリルメリヤス０.３％、ポリエステルジャージ０.５％であった。
実施例３
一般式［１］において、Ｚ1がＣＨ3、Ｚ2がＣ3Ｈ6Ｏ(Ｃ2Ｈ4Ｏ)8Ｈ、Ｚ3がＣ3Ｈ6ＮＨＣ2Ｈ4ＮＨ2であり、ＨＬＢが９であり、ｌ＋ｍ＋ｎが２２０であり、アミン当量が４,０００であるポリエーテルアミノ変性シリコーンＡ２５重量部、炭化水素系ノニオン界面活性剤Ｃ12Ｈ25Ｏ(Ｃ2Ｈ4Ｏ)5Ｈ２５重量部及び３−メチル−３−メトキシブタノール５０重量部を混合して、ドライクリーニング用洗浄剤組成物を調製し、評価を行った。
希釈安定性（１容量％）試験で、撹拌後の混合物は透明であった。綿ブロード汚染布の洗浄率は、１７％であった。再汚染率は、綿ブロード０.３％、ウールモスリン０.３％、アクリルメリヤス０.２％、ポリエステルジャージ０.４％であった。
実施例４
一般式［１］において、Ｚ1がＣＨ3、Ｚ2がＣ3Ｈ6Ｏ(Ｃ2Ｈ4Ｏ)5(Ｃ3Ｈ6Ｏ)2Ｈ、Ｚ3がＣ3Ｈ6ＮＨＣ2Ｈ4ＮＨ2であり、ＨＬＢが６であり、ｌ＋ｍ＋ｎが１,２５０であり、アミン当量が１,５００であるポリエーテルアミノ変性シリコーンＢ５０重量部と１,１,２,２−テトラフルオロ−１−(２,２,２−トリフルオロエトキシ)エタン５０重量部を混合して、ドライクリーニング用洗浄剤組成物を調製し、評価を行った。
希釈安定性（１容量％）試験で、撹拌後の混合物は透明であった。綿ブロード汚染布の洗浄率は、１６％であった。再汚染率は、綿ブロード０.３％、ウールモスリン０.３％、アクリルメリヤス０.１％、ポリエステルジャージ０.２％であった。帯電防止性試験における表面抵抗値は、アクリルメリヤス２０×１０10Ω、ポリエステルジャージ２０×１０11Ωであった。柔軟性は、アクリルメリヤス、ポリエステルジャージともに４であった。
【００１１】
比較例１
フッ化炭化水素系ノニオン界面活性剤Ｃ6Ｆ13Ｃ2Ｈ4Ｏ(Ｃ3Ｈ6Ｏ)7Ｈ２５重量部と３−メチル−３−メトキシブタノール７５重量部を混合して、ドライクリーニング用洗浄剤組成物を調製し、評価を行った。
希釈安定性（１容量％）試験で、撹拌後の混合物は透明であった。綿ブロード汚染布の洗浄率は、１１％であった。再汚染率は、綿ブロード０.９％、ウールモスリン１.２％、アクリルメリヤス１.１％、ポリエステルジャージ５.０％であった。帯電防止性試験における表面抵抗値は、アクリルメリヤス、ポリエステルジャージともに１０14Ω以上であった。柔軟性は、アクリルメリヤス、ポリエステルジャージともに２であった。
比較例２
炭化水素系ノニオン界面活性剤Ｃ12Ｈ25Ｏ(Ｃ2Ｈ4Ｏ)5Ｈ２５重量部と３−メチル−３−メトキシブタノール７５重量部を混合して、ドライクリーニング用洗浄剤組成物を調製し、評価を行った。
希釈安定性（１容量％）試験で、撹拌後の混合物は透明であった。綿ブロード汚染布の洗浄率は、１２％であった。再汚染率は、綿ブロード０.７％、ウールモスリン１.８％、アクリルメリヤス１.３％、ポリエステルジャージ５.４％であった。帯電防止性試験における表面抵抗値は、アクリルメリヤス、ポリエステルジャージともに１０14Ω以上であった。柔軟性は、アクリルメリヤス、ポリエステルジャージともに２であった。
比較例３
アニオン界面活性剤Ｃ12Ｈ25(Ｃ6Ｈ4)ＳＯ3Ｈ・Ｎ(Ｃ2Ｈ4ＯＨ)3２５重量部と１,１,２,２−テトラフルオロ−１−(２,２,２−トリフルオロエトキシ)エタン７５重量部を混合して、ドライクリーニング用洗浄剤組成物の調製を試みたが、均一な溶液とはならなかった。
比較例４
カチオン界面活性剤トリメチルアルキル(Ｃ14〜18)アンモニウムクロライド２５重量部と１,１,２,２−テトラフルオロ−１−(２,２,２−トリフルオロエトキシ)エタン７５重量部を混合して、ドライクリーニング用洗浄剤組成物の調製を試みたが、均一な溶液とはならなかった。
実施例１〜４及び比較例１〜２の配合組成を第１表に、評価結果を第２表に示す。
【００１２】
【表１】
2005206731.tif 000006
【００１３】
【表２】
2005206731.tif 000007
【００１４】
第２表に見られるように、実施例１〜４の本発明のドライクリーニング用洗浄剤組成物とノニオン界面活性剤を用いた比較例１〜２のドライクリーニング用洗浄剤組成物は、希釈安定性が良好である。
洗浄率は、本発明のドライクリーニング用洗浄剤組成物を用いた実施例１〜４の方が、フッ化炭化水素系又は炭化水素系の界面活性剤を含有する従来のドライクリーニング用洗浄剤を用いた比較例１〜２よりも高い数値を示し、本発明のドライクリーニング用洗浄剤組成物が優れた洗浄性を有することが分かる。
同一の繊維素材について再汚染率を比較すると、本発明のドライクリーニング用洗浄剤組成物を用いた実施例１〜４の方が、フッ化炭化水素系又は炭化水素系の界面活性剤を含有する従来のドライクリーニング用洗浄剤を用い比較例１〜２よりも低い数値を示し、本発明のドライクリーニング用洗浄剤組成物が優れた再汚染防止性を有することが分かる。
同一繊維素材について帯電防止性を比較すると、本発明のドライクリーニング用洗浄剤組成物を用いた実施例１、４の方が、フッ化炭化水素系又は炭化水素系の界面活性剤を含有する従来のドライクリーニング用洗浄剤を用いた比較例１〜２よりも表面抵抗値が低く、本発明のドライクリーニング用洗浄剤組成物が被洗物に優れた帯電防止性を付与することが分かる。柔軟性を比較すると、本発明のドライクリーニング用洗浄剤組成物を用いた実施例１、４の方が、フッ化炭化水素系又は炭化水素系の界面活性剤を含有する従来のドライクリーニング用洗浄剤を用いた比較例１〜２よりも風合いが柔らかく、本発明のドライクリーニング用洗浄剤組成物が被洗物に優れた柔軟性を付与することが分かる。
【産業上の利用可能性】
【００１５】
本発明のドライクリーニング用洗浄剤組成物は、溶解力が極めて弱い第三世代のフロン系溶剤であるハイドロフルオロエーテル系溶剤などのドライクリーニング溶剤に添加して使用することができ、被洗物に対し優れた洗浄性と再汚染防止性を発揮し、帯電防止性と柔軟性を付与することができる。